(57)【要約】【課題】マルチキャリア、マルチスタンダードに対応した基地局装置の評価を行う装置において、キャリア周波数や通信規格に依存した煩雑な測定条件の設定作業を容易に行うことができるようにする。【解決手段】変調方式と測定項目との組合せ毎に異なるグループ名Ａ、Ｂ、…を付与し、この対応関係を示すグループ一覧５０を表示部４０に表示するとともに、各キャリア周波数とそのキャリア周波数毎のフレームのスロットとで区分けされたスロット情報一覧６０を表示部４０に表示し、そのスロット情報一覧６０のスロット欄に、グループ一覧５０に表示された任意のグループ名を操作部４５の操作により登録させ、その登録された内容にしたがって、解析処理を行なわせるようにしている。【選択図】図３
2011171901.tif 000002
【特許請求の範囲】
【請求項１】
評価対象の基地局装置が通信に用いる複数の異なるキャリア周波数を含む受信帯域を有し、該受信帯域の信号を一定時間一括に受信し、該一定時間分の受信信号波形のデータを記憶する受信記憶部（２１）と、
前記受信記憶部に記憶された波形データを解析し、前記各キャリア周波数のフレーム内の所望タイムスロットに挿入されている信号を検出し、該スロットに対して予め設定された変調方式と測定項目に基づいて信号復調と測定を行う解析部（２５）と、
表示部（４０）と、
操作部（４５）と、
前記操作部の操作にしたがい、且つ前記表示部に設定に必要な情報を表示させつつ、前記解析部に対し、各キャリア周波数のフレーム内の各スロットについての変調方式情報と測定項目情報を設定させる設定部（３０）とを備えた基地局評価装置であって、
前記設定部は、
変調方式と測定項目との組合せ毎に異なるグループ名を付与し、この対応関係を示すグループ一覧を前記表示部に表示するグループ一覧表示手段（３１）と、
前記各キャリア周波数とそのキャリア周波数毎のフレームのスロットとで区分けされたスロット情報一覧を前記表示部に表示するスロット情報一覧表示手段（３２）と、
前記スロット情報一覧のスロット欄に前記グループ一覧に表示された任意のグループ名を前記操作部の操作に基づいて登録する解析情報登録手段（３３）とを有し、
前記解析部は、前記設定部の解析情報登録手段によって登録された内容にしたがって、解析処理を行うことを特徴とする基地局評価装置。
【請求項２】
評価対象の基地局装置が通信に用いる複数の異なるキャリア周波数を含む受信帯域を有し、該受信帯域の信号を一定時間一括に受信し、該一定時間分の受信信号波形のデータを記憶する受信記憶部（２１）と、
前記受信記憶部に記憶された波形データを解析し、前記各キャリア周波数のフレーム内の所望タイムスロットに挿入されている信号を検出し、該スロットに対して予め設定された変調方式と測定項目に基づいて信号復調と測定を行う解析部（２５）と、
表示部（４０）と、
操作部（４５）と、
前記操作部の操作にしたがい、且つ前記表示部に設定に必要な情報を表示させつつ、前記解析部に対し、各キャリア周波数のフレーム内の各スロットについての変調方式情報と測定項目情報を設定させる設定部（３０）とを備えた基地局評価装置における測定条件設定方法であって、
変調方式と測定項目との組合せ毎に異なるグループ名を付与し、この対応関係を示すグループ一覧を前記表示部に表示するとともに、前記各キャリア周波数とそのキャリア周波数毎のフレームのスロットとで区分けされたスロット情報一覧を前記表示部に表示する段階と、
前記スロット情報一覧のスロット欄に前記グループ一覧に表示された任意のグループ名を前記操作部の操作に基づいて登録させる段階とを含み、
該登録された内容にしたがって、前記解析部による解析処理を行なわせることを特徴とする基地局評価装置における測定条件設定方法。
【発明の詳細な説明】
【技術分野】
【０００１】
本発明は、携帯電話等の移動体通信システムの基地局装置から出力された信号を解析してその評価を行う技術に関し、特に複数の異なる周波数帯域で同時に通信を行うマルチキャリア方式または複数の異なる通信規格に対応したマルチスタンダード方式に対応した基地局装置の評価を効率的に行えるようにするための技術に関する。
【背景技術】
【０００２】
携帯電話等の移動体通信システムでは、基地局と端末との間で通信を行うための周波数帯（キャリア周波数）に複数のユーザの信号を時分割多重化して通信を行うが、ユーザ数が多くなると１つのキャリア周波数で多重化しきれなくなる。このため、１つの通信業者が複数のキャリア周波数を使用して、利用可能なユーザ数を増やしてきている。
【０００３】
これに対応して、その基地局も複数のキャリア周波数を用いて同時に通信を行う所謂マルチキャリアと呼ばれる方式が採用されている。
【０００４】
また、端末の変調方式の移行等に伴い、一つの通信業者で異なる通信規格（例えばＧＳＭとＷ−ＣＤＭＡ）の通信を行うことも要求されてきており、これに対応するための基地局は複数の異なる通信規格の信号を用いて同時に通信を行う所謂マルチスタンダードと呼ばれる方式が採用されており、近年ではマルチキャリア、マルチスタンダードに対応した基地局装置が必要とされている。
【０００５】
そのため同一周波数バンドで複数のシステムを運用する場合の無線規格が、３ＧＰＰＴＳ３７．１０４で、Ｍｕｌｔｉ−Ｓｔａｎｄａｒｄ  Ｒａｄｉｏ（ＭＳＲ）Ｂａｓｅ  Ｓｔａｔｉｏｎ（ＢＳ）として定義された。その周波数バンドについては図４に示す通りである。
【０００６】
図４において、マルチスタンダードの例を挙げれば、基地局の出力（Ｄｏｗｎｌｉｎｋ）で定義されている周波数帯のうち、例えば８６９〜８９４ＭＨｚ、９２５〜９６０ＭＨｚの周波数帯では、ＭＳＲ  ａｎｄ  Ｅ−ＵＴＲＡ（ＬＴＥ）と、ＵＴＲＡ（Ｗ−ＣＤＭＡ）と、ＧＳＭ／ＥＤＧＥの３つの異なるシステムが使用される。
【０００７】
したがって、これら８６９〜８９４ＭＨｚ、９２５〜９６０ＭＨｚの周波数帯内のキャリア周波数を通信に用いる基地局装置を評価するためには、各キャリア周波数の信号に対して、異なるシステムにそれぞれ応じた測定が必要となるが、従来の移動体通信機器に対する評価装置は、例えば次の特許文献１に記載されているように、１つのキャリア周波数（シングルキャリア）の信号を選択的に受信して評価に必要な処理を行うものであったので、マルチキャリアの測定を行う場合には、一つのキャリア周波数についての評価に必要な一連の試験を行ってから次のキャリア周波数に移行して同様の試験を行うという処理を繰り返す必要があり、手間と時間がかかるという問題があった。
【０００８】
また、その測定原理から、複数のキャリア周波数を同時に用いる場合の帯域間相互の影響を把握することができないという問題があった。
【先行技術文献】
【特許文献】
【０００９】
【特許文献１】特開２００７−１９７４１号公報
【発明の概要】
【発明が解決しようとする課題】
【００１０】
上記問題を解決するための技術として、測定対象となる複数のキャリア周波数の信号成分を一括に受信し、その信号の波形データを一定時間取り込んで記憶し、その記憶した波形データから個々のキャリア周波数の信号成分を抽出して解析処理を行う方式が考えられる。
【００１１】
ところが、実際に上記方式の評価装置を構成するにあたり、測定対象の複数のキャリア周波数についてそれぞれ測定条件を設定する作業が煩雑となるという新たな問題が生じることが判明した。
【００１２】
本発明は、この問題を解決し、マルチキャリア、マルチスタンダードに対応した基地局装置の評価を行う装置において、キャリア周波数や通信規格に依存した煩雑な測定条件の設定作業を容易に行うことができる基地局評価装置およびその測定条件設定方法を提供することを目的としている。
【課題を解決するための手段】
【００１３】
前記目的を達成するために、本発明の請求項１の基地局評価装置は、
評価対象の基地局装置が通信に用いる複数の異なるキャリア周波数を含む受信帯域を有し、該受信帯域の信号を一定時間一括に受信し、該一定時間分の受信信号波形のデータを記憶する受信記憶部（２１）と、
前記受信記憶部に記憶された波形データを解析し、前記各キャリア周波数のフレーム内の所望タイムスロットに挿入されている信号を検出し、該スロットに対して予め設定された変調方式と測定項目に基づいて信号復調と測定を行う解析部（２５）と、
表示部（４０）と、
操作部（４５）と、
前記操作部の操作にしたがい、且つ前記表示部に設定に必要な情報を表示させつつ、前記解析部に対し、各キャリア周波数のフレーム内の各スロットについての変調方式情報と測定項目情報を設定させる設定部（３０）とを備えた基地局評価装置であって、
前記設定部は、
変調方式と測定項目との組合せ毎に異なるグループ名を付与し、この対応関係を示すグループ一覧を前記表示部に表示するグループ一覧表示手段（３１）と、
前記各キャリア周波数とそのキャリア周波数毎のフレームのスロットとで区分けされたスロット設定情報一覧を前記表示部に表示するスロット情報一覧表示手段（３２）と、
前記スロット情報一覧のスロット欄に前記グループ一覧に表示された任意のグループ名を前記操作部の操作に基づいて登録する解析情報登録手段（３３）とを有し、
前記解析部は、前記設定部の解析情報登録手段によって登録された内容にしたがって、解析処理を行うことを特徴とする。
【００１４】
また、本発明の基地局評価装置の測定条件設定方法は、
評価対象の基地局装置が通信に用いる複数の異なるキャリア周波数を含む受信帯域を有し、該受信帯域の信号を一定時間一括に受信し、該一定時間分の受信信号波形のデータを記憶する受信記憶部（２１）と、
前記受信記憶部に記憶された波形データを解析し、前記各キャリア周波数のフレーム内の所望タイムスロットに挿入されている信号を検出し、該スロットに対して予め設定された変調方式と測定項目に基づいて信号復調と測定を行う解析部（２５）と、
表示部（４０）と、
操作部（４５）と、
前記操作部の操作にしたがい、且つ前記表示部に設定に必要な情報を表示させつつ、前記解析部に対し、各キャリア周波数のフレーム内の各スロットについての変調方式情報と測定項目情報を設定させる設定部（３０）とを備えた基地局評価装置における測定条件設定方法であって、
変調方式と測定項目との組合せ毎に異なるグループ名を付与し、この対応関係を示すグループ一覧を前記表示部に表示するとともに、前記各キャリア周波数とそのキャリア周波数毎のフレームのスロットとで区分けされたスロット情報一覧を前記表示部に表示する段階と、
前記スロット情報一覧のスロット欄に前記グループ一覧に表示された任意のグループ名を前記操作部の操作に基づいて登録させる段階とを含み、
該登録された内容にしたがって、前記解析部による解析処理を行なわせることを特徴とする。
【発明の効果】
【００１５】
このように、本発明では、変調方式と測定項目との組合せ毎に異なるグループ名を付与し、この対応関係を示すグループ一覧を表示部に表示するとともに、各キャリア周波数とそのキャリア周波数毎のフレームのスロットとで区分けされたスロット情報一覧を表示部に表示し、そのスロット情報一覧のスロット欄にグループ一覧に表示された任意のグループ名を操作部の操作に基づいて登録させ、その登録された内容にしたがって、解析処理を行なわせるようにしている。
【００１６】
このため、マルチキャリア、マルチスタンダードに対応した基地局装置の評価を行う装置において、キャリア周波数や通信規格に依存した煩雑な測定条件の設定作業を容易に行うことができる。
【図面の簡単な説明】
【００１７】
【図１】本発明の実施形態の構成図
【図２】実施形態の要部の動作を説明するための図
【図３】実施形態の要部の動作を説明するための図
【図４】基地局装置が使用する周波数帯と通信に用いるシステムとの関係を表す図
【発明を実施するための形態】
【００１８】
以下、図面に基づいて本発明の実施の形態を説明する。
図１は、本発明を適用した基地局評価装置２０の構成を示している。
【００１９】
図１において、受信記憶部２１は、広帯域受信部２２、Ａ／Ｄ変換器２３、波形データメモリ２４とによって構成されている。
【００２０】
広帯域受信部２２は、マルチキャリア、マルチスタンダードに対応した評価対象の基地局装置１が通信に用いる複数の異なるキャリア周波数を含む広い受信帯域（例えば、前記したように８６９〜８９４ＭＨｚ、９２５〜９６０ＭＨｚの周波数帯域）を有し、その受信帯域の信号を一括に受信する。
【００２１】
ここで、図２の（ａ）に示すように、複数の異なるキャリア周波数ｆ１、ｆ２、……が、周波数ｆａ〜ｆｂまでの範囲に含まれているとすれば、その周波数ｆａ〜ｆｂの範囲の入力信号ＳＩＮを、固定周波数ｆＬのローカル信号によりヘテロダイン変換して、図２の（ｂ）のように、データ処理が容易な中間周波数帯の信号ＳＩＦに一括に変換する。この中間周波数帯は例えば（ｆａ−ｆＬ）〜（ｆｂ−ｆＬ）の幅を有し、周波数ｆａ〜ｆｂの範囲の元の入力信号成分を含んでいる。
【００２２】
中間周波数帯に変換された信号ＳＩＦは、Ａ／Ｄ変換器２３により所定周波数（中間周波数帯の上限周波数の２倍以上）でサンプリングされてデジタルの信号列Ｄ（ｋ）に変換され、波形データメモリ２４に一定時間分記憶される。
【００２３】
解析部２５は、受信記憶部２１の波形データメモリ２４に記憶された波形データを解析し、各キャリア周波数のフレーム内の所望タイムスロットに挿入されている信号を検出し、そのスロットに対して予め設定された変調方式と測定項目に基づいて信号復調と測定を行い、その結果を表示部４０に表示させる。
【００２４】
ここで、解析部２５は、後述する設定部３０の解析情報登録手段３３に登録された内容にしたがって、解析処理を行う。
【００２５】
設定部３０は、操作部４５の操作にしたがい、且つ表示部４０に設定に必要な情報を表示させつつ、解析部２５に対し、各キャリア周波数のフレーム内の各スロットについての変調方式情報と測定項目情報を設定させるためのものである。
【００２６】
設定部３０には、グループ一覧表示手段３１、スロット情報一覧表示手段３２および解析情報登録手段３３が設けられている。
【００２７】
グループ一覧表示手段３１は、ＧＭＳＫ、８ＰＳＫ等の変調方式と、Ｐｏｗｅｒ、Ｍｏｄｕｌａｔｉｏｎ（変調誤差）、ＯＲＦＳ（隣接チャンネル漏洩）等の測定項目との組合せ毎に異なるグループ名を付与したデータベース（これは任意に編集可能とする）を有し、その対応関係を示すグループ一覧５０を例えば図３に示すように表示部４０に表示する。
【００２８】
また、スロット情報一覧表示手段３２は、各キャリア周波数ｆ１、ｆ２、…とそのキャリア周波数毎のフレームのスロットとで区分けされたメモリテーブルを有し、そのテーブルの内容を示すスロット情報一覧６０を例えば図３に示すように表示部４０に表示する。
【００２９】
解析情報登録手段３３は、スロット情報一覧６０のスロット欄にグループ一覧５０に表示されたグループ名のいずれかを操作部４５の操作に基づいて登録させる。
【００３０】
この登録処理は、例えば、マウス操作によるポインタ操作で、グループ一覧の任意のグループ名を選択してスロット設定情報一覧の任意のスロット欄にコピーさせ、そのスロットと選択したグループ名との対応情報（つまりスロット設定情報一覧の内容）をメモリテーブルに登録している。
【００３１】
解析部２５は、上記設定部３０の解析情報登録手段３３によって登録された内容を参照し、波形データメモリ２４に記憶された波形データから各キャリア周波数ｆ１、ｆ２、……の信号成分をデジタルフィルタ処理によって抽出し、各キャリア周波数の信号のフレーム内の所望タイムスロットに挿入されている信号を検出し、そのスロットに対して、スロット情報一覧に設定されたグループを見付け、そのグループに対応する変調方式と測定項目に基づいて信号復調処理および各種測定処理を行い、その結果を表示部４０に表示させる。
【００３２】
このように、実施形態の基地局評価装置２０では、変調方式と測定項目との組合せ毎に異なるグループ名を付与し、この対応関係を示すグループ一覧を表示部４０に表示するとともに、各キャリア周波数とそのキャリア周波数毎のフレームのスロットとで区分けされたスロット情報一覧を表示部４０に表示し、そのスロット情報一覧のスロット欄に、グループ一覧に表示された任意のグループ名を操作部４５の操作により登録させ、その登録された内容にしたがって、解析処理を行なわせるようにしている。
【００３３】
このため、マルチキャリア、マルチスタンダードに対応した基地局装置の評価を行う装置において、キャリア周波数や通信規格に依存した煩雑な測定条件の設定作業を容易に行うことができる。
【符号の説明】
【００３４】
２０……基地局評価装置、２１……受信記憶部、２２……広帯域受信部、２３……Ａ／Ｄ変換器、２４……波形データメモリ、２５……解析部、３０……設定部、３１……グループ一覧表示手段、３２……スロット情報一覧表示手段、３３……解析情報登録手段、４０……表示部、４５……操作部、５０……グループ一覧、６０……スロット情報一覧
【図１】
2011171901.tif 000003
【図２】
2011171901.tif 000004
【図３】
2011171901.tif 000005
【図４】
2011171901.tif 000006